(57)【要約】      （修正有）【課題】車椅子に着座したまま洗髪出来る機能を有したシャンプーシステムを提供する。【解決手段】ステンレスパイプ製のキャリー１の立ち上がり部の適当な位置に金属製ネット２を取り付け、シャンプーシステムのベースとして使用する。自立させたキャリーのネット目にアーム金具３で水平方向にスライド機能を発揮するシャンプーボール５を取り付け、高さをネット目で調節して使用する。未使用運搬時は、電動シャワーも含めて湯水タンク８内に収納出来る。【選択図】図３
2006280864.tif 000002
【特許請求の範囲】
【請求項１】
本発明品は身体的弱者の人達に車椅子に着衣・着座姿勢のままでも、場所を選ばずに洗髪サービスを可能にする為に考案したシャンプーシステムに関するものである。システムのベースとしては、ステンレス製のパイプを用いて、高さが１２０ｃｍ位と幅が２５ｃｍ位を有する丈夫なキャリー▲１▼を使用する。図１で示す様に、立ち上がりのパイプの間の適当な位置に、ネット目がおよそ３ｃｍ位で高さが約４０ｃｍ位の金属製のネット▲２▼を、溶接又はボルト等でパイプの片側に１枚、又はパイプの両側に２枚のいずれかを取り付ける。自立させたベースとなるキャリーのネット部に金具をフックさせてシャンプーボールや作業台等を取り付けてシステムを組み立てる訳であるが、フックさせるネット目を変える事で、希望するシャンプーボールの高さを自在に調整する機能を発揮する構造で有れば、ネット目の大きさ、太さ、高さ、素材等もステンレスや金属製に限らず、プラスチックやビニールコーティングされた針金等で成型されたネットを使用する場合もある。
【請求項２】
着座姿勢で車椅子使用の人に洗髪サービスする為には、車椅子には特有の押し手が存在する為に、ベースとなるキャリーからシャンプーボールが３０ｃｍ位水平に自在にスライドする機能を有してなければ、実用に適しない。その為には図２で示す様に、ネットにフックさせるアーム金具▲３▼とシャンプーボール受け金具▲４▼が組み合わされてスライドする構造になっていれば、金具の長さの分だけシャンプーボール受け金具に取り付けるシャンプーボール▲５▼を、自在に前後にスライドさせる事が出来る。図２で示す金具▲３▼と▲４▼の形状は、強度的に最も簡単な金具構造の組み合わせで示してあるが、ネットにフックさせ使用する事で機能を発揮する形状・構造を有する金具であれば、材質、形状や構造は、図２で示すものばかりとは限らない。
【請求項３】
本発明システムは持ち運びを簡単にする為に、一般的に用いられている陶器製のシャンプーボールは使用せずに、図２で示す様にポリウレタンで成型したシャンプーボール▲５▼を使用する。ゴム製の排水ホース▲８▼を排水口に取り付ける排水ホースが折れ曲がって目詰まりを防止する為に、排水ホース内に水詰まり防止用のプラスチック板コイル▲９▼を内在させ、シャンプーボール部位全体は構成されている。シャンプーボールの左右に２ヶ所ずつ開けた穴にシャンプーボール受け金具▲４▼を通して使用する構造になっているが、シャンプーボールの材質は、ポリウレタン使用するばかりではなく、ゴムやプラスチックで成型した物を使用する場合もあ図２で示す形状ばかりには限らず、金具と別個に成型するのではなく、シャンプーボール受け金具とシャンプーボールを一体成型構造にして使用する場合もある。
【請求項４】
本発明システムで使用する湯水タンク▲６▼は、一般的なポリタンクを使用する場合もあるが、保温性と多目的に利用する事を考慮して、一般的に使用されているクーラーボックスと同様の構造を有し、上部に２ヶ所の給水、排水口を有する物である。内容量や大きさ、形状は図３で示すものとは限らない。
【発明の詳細な説明】
【発明の詳細な説明】
【発明の属する技術的分野】
【０００１】理・美容師が出張で理・美容サービスを提供する場合や各種福祉施設や病院等で使用される、着衣・着座姿勢での洗髪を可能にする者に考案した簡易シャンプーシステムに関するものである。
【従来の方法】
【０００２】自力で立ち上がることが出来ない、身体的弱者の人には、入浴時以外に、洗髪する事は、余りにも介助者の負担が多大なる為、シャンプーサービスは実質的には行なわれていないのに等しい。
【解決しようとする課題】
【０００３】一般的な、理・美容室でのシャンプー設備で洗髪が不可能な人に洗髪を実施する為には、シャンプーボール本体を、個々の状況に合わせられる機能をしたシャンプーシステムが必要である。すなわち簡単に持ち運べて、高さと、シャンプーボールを支えるアームの長さを自在に調節可能にすれば、車椅子特有の押し手の背後からでも、頭部の適切な位置にシャンプーボールを当てがえる事が可能となる。
【課題を解決する為の手段】
【０００４】頭髪の長短にもよるが、一般的に洗髪には４ｌ〜５ｌの湯水が必要とされるのでシステム自体の移動を容易にさせる為に、システムの本体として自立した時に、１２０ｃｍ位の高さと、約２５ｃｍ位の幅を有するステンレス製キャリー▲１▼をシステムのベースとして使用する。図１で示す様に、キャリー▲１▼の上部適当な位置に、ネット目が３ｃｍ位で高さが４０ｃｍ位の金属製ネット▲２▼をパイプ間に片側１枚又は両側に２枚を溶接、ボルト留め等で取り付ける。図２で示す、アーム受け金具▲３▼をフックさせるネット目を変える事により、高さの調節を行なう。水平方向を自在に調節スライドさせる為には、シャンプーボール受け金具▲４▼をアーム金具▲３▼と組み合わせ、▲３▼と▲４▼の金具が組み合わさりスライドする分だけ、シャンプーボール▲５▼が前後する機能となる。シャンプーボール▲５▼はポリウレタン等の軽量の材質で成型させれており、排水ホース▲８▼は内部に折れ曲がった時の水詰まり防止用に薄く細いプラスチック板をコイル状にした物▲９▼を通し取り付けてある。シャンプーボール部全体を金具は、左右に開けた２ヶ所の穴に金具を通す事で一体化させる。図３で示す様に、キャリー▲１▼に湯水タンク▲６▼をタンク固定用ベルト▲７▼を使って固定させると、タンク内の湯水の重量が、そのままシステムを自立させる力として働く為、ネット▲２▼にシャンプーボール▲５▼をフックさせても、システムは安定した状態を保つ。湯水タンク▲６▼の湯水は、市販されている簡易電動シャワーを用いて汲み上げ使用するが、排水ホース▲９▼の先端に適当な大きさのビニール袋等をつけて袋ごとタンク内に入れて排水すると、タンク内で湯水と排水は循環してビニール袋で分離されるだけで、総重量が変化する事はない。
【実施例】
【０００５】本発明シャンプーシステムは、キャリーに取り付けた金属製ネットに付属品をフックさせるだけの簡単な構造ながら、タンクに給湯するだけで、場所を選ばずに、どこでも、誰にでも洗髪サービスを提供可能にした。又一般的に壁に取り付けた金属製ネットに棚やカゴ等をフックさせて使用するアイデア、商品は多数出回っている為、本考案システムのネットにも、様々な市販品を応用すると、作業現場では、便利な作業台としての多様な価値を付加する事が簡単に出来る。
【図面の簡単な説明】
【０００６】
【図１】  金属製ネット付キャリー構造図
【図２】  アーム金具とシャンプーボール受け金具及びシャンプーボール図
【図３】  シャンプーシステム全体図
【符号の簡単な説明】
【０００７】▲１▼ステンレスパイプ製キャリー
▲２▼金属製ネット
▲３▼アーム金具
▲４▼シャンプーボール受け金具
▲５▼シャンプーボール
▲６▼排水ホース
▲７▼水詰まり防止用プラスチックコイル
▲８▼湯水タンク
▲９▼タンク固定用ベルト
【図１】
2006280864.tif 000003
【図２】
2006280864.tif 000004
【図３】
2006280864.tif 000005